(57)【要約】  サーバラック列の各サーバラック３毎に対応して、ユニット化された空気調和装置１０をそれぞれ設置する。各空気調和装置１０は、それぞれ、対応するサーバラック３の近傍に設置される。その給気面（給気口１３ａ）がサーバラック３の吸気面（吸気口３ａ）に対向するように配置される。給気口１３ａからの給気（冷気）がダイレクトに吸気口３ａに吸気される。
2012124723.tif 000002
【特許請求の範囲】
【請求項１】
発熱体が搭載されたラックが設置された室内空間に対して、外気を利用して冷却を行う外気利用空調システムであって、
１つまたは複数の前記ラック毎に対応して、ユニット化された空調装置を、その室内ユニット部の給気面が前記ラックの吸気面に対向するようにラックの近傍に配置し、
前記空調装置は、隔壁を挟んで室内側と室外側とに設けられる一対のユニット部であって、室内側に設けられる前記室内ユニット部と室外側に設けられる室外ユニット部とを有し、
前記室外ユニットは、外気の吸気・排気を行う第１の送風機と、吸気した外気と冷媒との熱交換を行う第１の熱交換器を有し、
前記室内ユニットは、前記ラックから戻されるリターン空気と前記冷媒との熱交換を行うことで該リターン空気を冷却して冷気とする第２の熱交換器と、該冷気を前記給気面から送出する第２の送風機を有し、
前記第１の熱交換器と第２の熱交換器とに接続して、該第１の熱交換器と第２の熱交換器とに前記冷媒を循環させる為の配管が設けられたことを特徴とする外気利用空調システム。
【請求項２】
前記室内ユニット部と前記ラックとの間に、該ラックから排出されて前記室内ユニット部に戻されるリターン空気が、前記給気面から送出される冷気と混合しないようにする仕切り板を更に設けたことを特徴とする請求項１記載の外気利用空調システム。
【請求項３】
前記ラックが複数あり且つラック列を成し、該ラック列は前記隔壁に略平行に設けられ、
ラック毎に対応して設けられる前記空調装置も、前記隔壁と略平行の空調装置列を形成し、
前記隔壁の外側に該隔壁と略平行に外壁が設けられることを特徴とする請求項１記載の外気利用空調システム。
【請求項４】
前記室内空間は、前記外壁に覆われた略直方体形状の建物内における前記隔壁によって囲まれた空間であり、
前記略直方体形状の建物の任意の面の前記外壁に対応して、該外壁と略平行に設けられる前記隔壁と略平行に前記ラック列が設けられることを特徴とする請求項３記載の外気利用空調システム。
【請求項５】
前記室外ユニット部は、前記隔壁と前記外壁との間の空間に設置されることを特徴とする請求項３記載の外気利用空調システム。
【請求項６】
前記ラック列に新たなラックが追加される毎に、該増設されたラックに対応する前記空調装置を増設することを特徴とする請求項１〜５の何れかに記載の外気利用空調システム。
【請求項７】
前記空調装置の前記室内ユニット部の横幅は、前記ラックの横幅と略同一、または該ラックの横幅の整数倍であることを特徴とする請求項１〜５の何れかに記載の外気利用空調システム。
【請求項８】
前記空調装置は、その外気吸気口が前記外壁に設けられた外気吸気孔と対向するように設置され、
前記空調装置の送風機は、該外気吸気孔と外気吸気口を介して外気を吸気すると共に該吸気した外気を前記給気面から前記吸気面に向けて送出することで前記ラックに外気を供給する、略直線状の外気の流れを形成することを特徴とする請求項４または５に記載の外気利用空調システム。
【請求項９】
発熱体が搭載されたラックが設置された室内空間に対して、外気を利用して冷却を行う外気利用空調システムであって、
複数の前記ラックによってラック列を形成し、該ラック列が前記室内空間を形成する隔壁と略平行に配置され、
１つまたは複数の前記ラック毎に対応して、ユニット化された空調装置を前記隔壁に沿って配置するものであって、その給気面が前記ラックの吸気面に対向するように該ラックの近傍に配置し、
前記各空調装置は、前記隔壁の外の外気を吸気して該外気を利用して冷気を生成すると共に、自装置が対応する１つまたは複数の前記ラック毎に対して前記給気面から冷気を供給することを特徴とする外気利用空調システム。
【請求項１０】
発熱体が搭載されたラックが設置された室内空間に対して、外気を利用して冷却を行う外気利用空調システムであって、
１つまたは複数の前記ラック毎に対応して、ユニット化された空調装置を外壁の近傍に配置するものであって、その給気面が前記ラックの吸気面に対向するようにラックの近傍に配置し、
前記各空調装置は、前記外壁を介して外気を吸気して該外気を前記給気面から前記自装置が対応する１つまたは複数の前記ラック毎へと供給する送風機を有することを特徴とする外気利用空調システム。
【請求項１１】
複数の前記ラックによって前記外壁と略平行のラック列を形成し、該ラック毎に対応する前記各空調装置によって前記外壁及び前記ラック列と略平行の空調装置列を形成することを特徴とする請求項１０記載の外気利用空調システム。
【請求項１２】
前記空調装置は、その外気吸気口が前記外壁に設けられた外気吸気孔と対向するように設置され、
前記空調装置の送風機は、該外気吸気孔と外気吸気口を介して外気を吸気すると共に該吸気した外気を前記給気面から前記吸気面に向けて送出することで前記ラックに外気を供給する、略直線状の外気の流れを形成することを特徴とする請求項１０記載の外気利用空調システム。
【請求項１３】
前記空調装置と前記ラックとの間に、該ラックから排出されて前記空調装置に戻されるリターン空気が、前記給気面から送出される外気と混合しないようにする仕切り板を更に設けたことを特徴とする請求項１０〜１２の何れかに記載の外気利用空調システム。
【請求項１４】
発熱体が搭載されたラックが設置された室内空間に対して、外気を利用して冷却を行う外気利用空調システムにおける空調装置であって、
複数の前記ラックによってラック列を形成し、該ラック列が前記室内空間を形成する隔壁と略平行に配置され、
１つまたは複数の前記ラック毎に対応して、前記隔壁に沿って且つその給気面が前記ラックの吸気面に対向するように該ラックの近傍に配置され、
前記隔壁の外の外気を吸気して該外気を利用して冷気を生成すると共に、１つまたは複数の前記ラック毎に対して前記給気面から冷気を供給する冷気供給手段を有することを特徴とする外気利用空調システムの空調装置。
【発明の詳細な説明】
【技術分野】
【０００１】
本発明は、外気を利用する空調システムに関する。
【背景技術】
【０００２】
従来、例えば、データセンターや企業のサーバ室等には、多数のコンピュータ（サーバ装置）等が設置されている。このようなサーバ室は多数のサーバ装置の発熱によって室温が上昇し、この室温上昇によってサーバ装置が暴走または故障する可能性がある。このため、サーバ室には部屋全体の温度を一定に維持しておく空調システムが採用されている。また、このような空調システムは、ほぼ常時稼動され、冬季であっても稼動される。【０００３】
このようなサーバ室等に対する従来の空調システムは、サーバ室の室温の安定を図るために、空調装置から吹き出されてサーバ室内に供給された低温空気（冷気）が、サーバラック内のサーバ装置に接触しながら流れて当該サーバ装置を冷却する。それによってサーバ装置の熱で温められた空気（暖気）は、該サーバ室から上記空調装置内に戻され、該空調装置で冷却されて再び上記冷気となって吹出されて、サーバ室内に再び冷気が供給される、等という循環方式が取られている。【０００４】
また、例えば特許文献１に記載の空調機が知られている。【０００５】
特許文献１には、外気温がサーバ室からのリターン空気の温度より低いときに（例えば冬季等）、顕熱交換器によって外気とリターン空気との熱交換を行って、外気湿度の影響を受けることなくリターン空気の冷却を行う空調システムが開示されている。また、上記顕熱交換器の下流側にサーバ室用空調機が設けられている。【０００６】
上記顕熱交換器を設けることで、外気をサーバ室に流入させることなく、外気をサーバ室内の冷却に利用することができる。この様な方法は、間接外気冷房（間接外気導入方式）等と呼ばれている。【０００７】
一方、従来、外気をサーバ室内の冷却に利用する方法として、外気をサーバ室に流入させて外気によって直接的に室内冷却（サーバ装置の冷却）を行う方法も知られている。この様な方法は、直接外気冷房（直接外気導入方式）等と呼ばれている。【０００８】
尚、直接外気導入方式は、一般的に、間接外気導入方式に比べて効率が高いが、その反面、湿度調整が必須となる（基本的に、冬季は加湿、夏季は除湿が必要となる）、塵埃等がサーバ室内に流入する為に塵埃・塩害対策等が必要になる、等の問題が生じる。この為、構成要素が増えると共に、メンテナンスに手間・コストが掛かることになる。
【特許文献１】特開２０１０−１４４９４９号公報
【発明の開示】
【０００９】
ここで、図５に従来の間接外気冷房システムの構成例を示す。
【００１０】
尚、図示の間接外気冷房システムは、上記特許文献１の構成を簡略化して示したものと見做すこともできる。
【００１１】
図５に示す例の間接外気冷房システムは、任意の室内空間を冷却する冷房システムであって、外気を室内空間に流入させることなく外気を室内空間の冷房に利用するシステムである。この室内空間は、例えば、サーバ装置（コンピュータ装置）等の発熱体２０１を搭載したサーバラック２０２が、多数設置されたサーバルーム等である。この様な室内空間は、多数の発熱体２０１による発熱量が多く、冬季であっても冷房が必要である。
【００１２】
尚、上記室内空間は、本例では図示のサーバ設置空間と床下空間と天井裏空間に分けられている。このうち、サーバ設置空間が、上記発熱体２０１を搭載したサーバラック２０２が設置されている空間である。また、図示の様に、サーバ設置空間の上側には天井裏空間、床の下側には床下空間がある。尚、当然、床や天井には孔が開いており、この孔を介して冷気や暖気がサーバ設置空間に対して流入／流出する。
【００１３】
図示の間接外気冷房システムは、例えばサーバルーム等からのリターン空気（暖気）を、一般的な蒸気圧縮式冷凍サイクルの空調装置２１０（冷凍機２１１、エアハンドリングユニット２１２（蒸発器、ファン等を内蔵）、膨張弁２１３、冷媒管２１４等より成る）で冷却する。この空調装置のエアハンドリングユニット２１２の前段（暖気の流れの上流側）に設置された間接外気冷房機２２０によって、外気を利用してリターン空気の温度を下げることで、省エネ化を図るものである。尚、冷凍機２１１は、圧縮機、凝縮器、ファン（送風機）等を有している。
【００１４】
間接外気冷房機２２０は、熱交換器２２１、送風機２２２、送風機２２３、内気ダクト２２４、外気ダクト２２５等を有する。内気ダクト２２４は、その一端が上記天井裏空間側、その他端が上記エアハンドリングユニット２１２側に設けられると共に、途中で熱交換器２２１に接続している。上記天井裏空間側の暖気は、送風機２２２によって内気ダクト２２４内に流入させると共にエアハンドリングユニット２１２側へ排出させるが、途中で熱交換器２２１内を通過することになる。
【００１５】
また、壁１の任意の２箇所に孔を空けて（一方を外気流入孔２２６、他方を外気排出孔２２７と言うものとする）、上記外気ダクト２２５の一端を外気流入孔２２６に接続し、他端を外気排出孔２２７に接続している。また、外気ダクト２２５は途中で熱交換器２２１に接続している。送風機２２３によって外気ダクト２２５内に外気を通過させる。すなわち、外気を外気流入孔２２６から流入させると共に外気排出孔２２７から排出させるが、外気は途中で熱交換器２２１内を通過することになる。つまり、熱交換器２２１内を内気（暖気）と外気が通過することになり、熱交換器２２１内において内気（暖気）と外気との熱交換が行われることになる。
【００１６】
上述した従来の間接外気冷房システムは、図では簡略化して示しているが、実際には大きな設置スペースをとるものである。これは、特に、図では簡略して示しているダクト（内気ダクト２２４、外気ダクト２２５）が、実際には大きな設置スペースをとるものである（ダクトのひきまわし設置、仕切り板設置などのため）。
【００１７】
また、サーバ装置を増設した場合、空調能力をアップする必要が生じる場合もあり、例えば間接外気冷房機２２０を増設することが考えられるが、上記従来の構成では、間接外気冷房機２２０の増設は困難である。なぜなら、上記の通り、ダクトのひきまわし設置、仕切り板設置などのため、大きな設置スペースを必要とするからである。この為、増設は困難であり、また仮に増設できたとしても設置費用が高額となる。また、大量の外気を必要とする為、外気流入孔２２６等を出来るだけ大きくする必要がある（大きな開口が必要）。
【００１８】
また、ダクトが長くなると、圧力損失等により効率が低下する。
【００１９】
尚、以上の問題は、間接外気冷房機２２０に限らず、上記直接外気冷房（直接外気導入方式）に関しても略同様である。
【００２０】
本発明の課題は、外気を利用して室内冷却する空調システムに係わり、空調装置がユニット化され、ほぼダクトレスとすることができ、設置の手間が軽減でき設置費用が安く、設置の柔軟性も高い外気利用空調システム、その空調装置等を提供することである。
【００２１】
本発明の外気利用空調システムは、発熱体が搭載されたラックが設置された室内空間に対して、外気を利用して冷却を行う外気利用空調システムであって下記の構成を有する。
【００２２】
すなわち、まず、複数の前記ラックによってラック列を形成し、該ラック列が前記室内空間を形成する隔壁と略平行に配置されている。そして、１以上の前記各ラック毎に対応して、ユニット化された空調装置を前記隔壁に沿って配置する。特に、空調装置の給気面が前記ラックの吸気面に対向するように、当該空調装置を該ラックの近傍に配置する。
【００２３】
そして、前記各空調装置は、前記隔壁の外の外気を吸気して該外気を利用して冷気を生成すると共に、自装置が対応する１以上の前記各ラックに対して前記給気面から冷気を供給する。
【００２４】
あるいは、本発明の外気利用空調システムは、発熱体が搭載されたラックが設置された室内空間に対して、外気を利用して冷却を行う外気利用空調システムであって、下記の構成を有する。
【００２５】
すなわち、まず、１以上の前記各ラック毎に対応して、ユニット化された空調装置を、その室内ユニット部の給気面が前記ラックの吸気面に対向するようにラックの近傍に配置する。
【００２６】
前記空調装置は、隔壁を挟んで室内側と室外側とに設けられる一対のユニット部であって、室内側に設けられる前記室内ユニット部と室外側に設けられる室外ユニット部とを有する。
【００２７】
そして、前記室外ユニットは、外気の吸気・排気を行う第１の送風機と、吸気した外気と冷媒との熱交換を行う第１の熱交換器を有する。また、前記室内ユニットは、前記ラックから戻されるリターン空気と前記冷媒との熱交換を行うことで該リターン空気を冷却して冷気とする第２の熱交換器と、該冷気を前記給気面から送出する第２の送風機を有する。
【００２８】
更に、前記第１の熱交換器と第２の熱交換器とに接続して、該第１の熱交換器と第２の熱交換器とに前記冷媒を循環させる為の配管が設けられた構成となっている。
【００２９】
また、上記構成の外気利用空調システムにおいて、例えば、前記室内ユニット部と前記ラックとの間に、該ラックから排出されて前記室内ユニット部に戻されるリターン空気が、前記給気面から送出される冷気と混合しないようにする仕切り板を更に設けるようにしてもよい。
【図面の簡単な説明】
【００３０】
【図１】（ａ）、（ｂ）は、本例の外気利用空調システムの構成図である。
【図２】（ａ）、（ｂ）は、本例の外気利用空調システムを適用したデータセンターの具体例である。
【図３】空気調和装置の詳細な構成例を示す図である。
【図４】空気調和装置の変形例である。
【図５】従来の間接外気冷房システムの構成例である。
【発明を実施するための最良の形態】
【００３１】
以下、図面を参照して本発明の実施の形態について説明する。【００３２】
図１（ａ）、（ｂ）は、本例の外気利用空調システムの構成図である。【００３３】
図１（ａ）は断面図、図１（ｂ）は斜視図である。【００３４】
また、図２（ａ）、（ｂ）には、本例の外気利用空調システムを適用したデータセンターの具体例を示す。図２（ａ）、（ｂ）は、典型的な一例であり、倉庫タイプのモジュール型データセンターと呼ぶものとする。図２（ａ）、（ｂ）に示すように、典型的な例としては、モジュール型データセンター全体の長さＬと幅Ｗと高さＨに関して、長さＬと高さＨに関しては特に制限はないが、幅Ｗに関してはサーバラック３の列が２列となる程度の大きさとすることが、典型的な例としては望ましい。但し、勿論、この様な例に限るものではない。尚、サーバラック３は、発熱体の一例であるサーバ装置４が搭載されるラックである。【００３５】
また尚、サーバ装置４は、発熱体の代表例であるが、この例に限らない。発熱体は、何らかの電子機器等であってもよい。また、サーバラック３は、「発熱体を収納するラック」の代表例であるが、この例に限らない。サーバラック３は、例えば、略直方体の形状であるが、この例に限らない。基本的に、複数のサーバラック３が所定方向に並べられて列を成して設置されるものである（サーバラック列が形成されるものである）。【００３６】
以下、図１（ａ）、（ｂ）、図２（ａ）、（ｂ）を参照して、本例の外気利用空調システムの構成について説明する。尚、図１（ａ）、（ｂ）においては、空気の流れを一点鎖線の矢印で示している。【００３７】
まず、上記のように図２（ａ）、（ｂ）に示す典型例ではサーバラック列が２列となっており、図１（ａ）、（ｂ）には当該２列のうちの何れか１列（図上、左側）に係る外気利用空調システムの構成例を示していると考えても良い。【００３８】
すなわち、図１（ｂ）には上記任意の１列のサーバラック列の例として４つのサーバラック３より成るサーバラック列を示すと共に、これら４つのサーバラック３毎に対応して設けられる４台の空気調和装置１０を示すものである。これら４台の空気調和装置１０は、それぞれユニット化されており、何れも同じ構成である。尚、“空気調和装置”を“空調装置”と呼ぶ場合もある。【００３９】
尚、図１（ｂ）においては、図１（ａ）等に示す外壁２や隔壁１、天井５、床６等は、省略して示している。【００４０】
４台の空気調和装置１０は、それぞれが対応するサーバラック３の近傍に設置されるものであって、特にその冷気給気面（後述する）が、対応するサーバラック３の吸気面（後述する）と対向するように設置される。４台の空気調和装置１０は図示のように列を成して空調装置列を形成する。この空調装置列は、上記サーバラック列と略平行の列となる。これは、換言すれば、空調装置列、サーバラック列は何れも、後述する隔壁１と略平行の列となる。【００４１】
各空気調和装置１０は、本例では間接外気冷房装置であり、外気を室内に流入させることなく、外気を利用して室内空気（サーバラック３からのリターン空気（暖気）；以降リターン空気と表記）を冷却する。この冷却された室内空気（冷気）は、サーバラック３に供給され、サーバラック３内に搭載されているサーバ装置４を冷却し、それによって温度上昇して暖気となる。サーバ装置４は、稼動中は発熱体となり、冷却が必要となる。尚、上記室内空気を、内気と呼ぶ場合もあるものとする。【００４２】
尚、上記の例に限らず、後述する変形例のように空気調和装置１０が直接外気冷房装置である例があっても構わない。【００４３】
図１（ａ）は、例えば、上記図１（ｂ）における任意のサーバラック３及び当該サーバラック３に対応する空気調和装置１０の断面図であると見做してもよい。【００４４】
各空気調和装置１０は、隔壁１に沿って設置される。これは例えば後述するように２つのユニット１０ａ，１０ｂで隔壁１を挟むようにして配置される。これより、上記の通り、空調装置列は隔壁１と略平行の列となる。【００４５】
図１（ａ）に示すように、空気調和装置１０は、隔壁１を挟んで室内側のユニット（室内ユニット１０ａと呼ぶ）と室外側のユニット（室外ユニット１０ｂと呼ぶ）とに分けることができる。室内ユニット１０ａは、サーバラック３が設置された空間（サーバ室）内に設けられている。一方、室外ユニット１０ｂは、サーバ室外であって隔壁１と外壁２との間の空間に設置されている。【００４６】
尚、ここでは上記サーバ室とは、隔壁１と天井５と床６とで囲まれた空間を意味するものとする。尚、隔壁１は、図上サーバラック３の左側にある図示の隔壁１だけでなく、サーバラック３の右側にも不図示の隔壁１が存在している。これより、隔壁１は、サーバ室（冷却対象の室内空間）を形成するものであると言うこともできる。また、隔壁１の外側には外気が存在し得るので、隔壁１はサーバ室を外気から遮断するものであると言うこともできる。【００４７】
ここで、隔壁１と外壁２について図２（ａ）、（ｂ）を参照して説明する。【００４８】
既に述べた通り、図２は倉庫タイプのモジュール型データセンターを示す斜視図であり、図２（ａ）は外観図、図２（ｂ）は透視図である。【００４９】
図示の倉庫タイプのモジュール型データセンターは、図示のように「長さＬ×幅Ｗ×高さＨ」の略直方体であり、高さＨに関しては５階建てと見做せる。各階に、図示のように、サーバラック３や空気調和装置１０が列を成して設置されている。【００５０】
図２（ａ）では短手方向の外壁２（幅Ｗ）は省略して示してある。図２（ｂ）では短手方向の外壁２だけでなく長手方向の外壁２（長さＬ）も省略して示してあり、更に天井壁８も省略して示している（従って透視図と見做してよい）。尚、上記略直方体の各面のうち、短手方向の面を正面、長手方向の面を側面と呼ぶ場合もある。そして、上記略直方体は、正面、側面ともに外壁２で覆われているが、図２（ａ）では正面の外壁２は省略して示している（実際には存在する）。【００５１】
図２（ｂ）では外壁２の内側（図示の例では柱１つ分内側）には図示のように上記隔壁１が設けられている。外壁２と隔壁１の間の空間には外気が流入してよいが、隔壁１より内側の空間（サーバ室）には外気が流入しないようにしている。【００５２】
図２（ａ）に示すように、側面の外壁２には、図示のように各空気調和装置１０毎に応じた外気吸気孔２ａと外気排気孔２ｂがあけられている。【００５３】
ここで、図１（ａ）に示すように、室外ユニット１０ｂは、第１の送風機（ファン）１１ｂ、第１の熱交換器１２ｂを有している。また、その筐体には外気吸気口１３ｂ、外気排気口１４ｂが設けられている。外気排気口１４ｂは、図示のように外気排気孔２ｂから外に突き出している。【００５４】
第１の送風機（ファン）１１ｂによって、外気吸気口１３ｂから外気を筐体内に流入させて第１の熱交換器１２ｂを通過させた後に外気排気口１４ｂから排気する、という図上一点鎖線矢印で示す空気（外気）の流れが形成される。外気吸気口１３ｂは、上記外壁２の外気吸気孔２ａに対向する位置に設けられており、外気吸気孔２ａから流入した外気がダイレクトに外気吸気口１３ｂから室外ユニット１０ｂの筐体内へと流入することになる。【００５５】
外気吸気口１３ｂから吸気された外気は、第１の熱交換器１２ｂを通過するが、その際、後述する冷媒（冷水等）との熱交換が行われる。以下、冷媒の一例として、冷水を使った場合の実施例を説明する。外気の温度が冷水の温度よりも低い場合には、第１の熱交換器１２ｂにおいて外気によって冷水の冷却が行われることになる。【００５６】
このように、室外ユニット１０ｂは、外気を、外気吸気孔２ａ、外気吸気口１３ｂを介して吸気して、第１の熱交換器１２ｂで熱交換を行った後、外気排気口１４ｂから排気する。【００５７】
ここで、室外ユニット１０ｂは、例えば、図示のように、その筐体の一面が隔壁１（その室外側の面）に密着するようにして設置されている。室内ユニット１０ａも、その筐体の一面（背面と呼ぶものとする）が、隔壁１（その室内側の面）に密着するようにして設置されている。【００５８】
但し、上記の例に限らず、空気調和装置１０は、例えば、室外ユニット１０ｂと室内ユニット１０ａとが分離していない一体型のユニット構成となっていてもよい。この場合、例えば隔壁１の各所に、室内ユニット部分と同程度の大きさの孔が設けられており、この孔に上記一体型のユニットの室内ユニット部分を挿入することで（例えば室外側から挿入する）、図１（ａ）と略同様の状態で空気調和装置１０を設置することができる。【００５９】
尚、この場合、上記一体型ユニットが設置される部分に関しては、図１（ａ）に示す室外ユニット１０ｂ−室内ユニット１０ａ間の隔壁１は存在しないことになる（上記の“孔”となっている）。その代わりに、予め上記一体型のユニットを工場等で製造する際に、当該一体型のユニットにおける室外ユニット部分と室内ユニット部分とを仕切る為の不図示の“筐体内仕切り”が設けられている。【００６０】
以上のことから、図１（ａ）に示すように、室外ユニット１０ｂ−室内ユニット１０ａ間には「隔壁１または筐体内仕切り」が存在している。【００６１】
尚、上記の構成例に限るわけではないが、外気が室内ユニット１０ａやサーバ室内に流入しないように構成する必要がある。【００６２】
次に、室内ユニット１０ａについて説明する。【００６３】
図１（ａ）に示す例では、室内ユニット１０ａは、第２の送風機（ファン）１１ａ、第２の熱交換器１２ａを有している。また、その筐体には給気口１３ａ、還気口１４ａが設けられている。図示の例では、室内ユニット１０ａの筐体の上面に還気口１４ａが設けられており、前面（給気面）に給気口１３ａが設けられているが、この例に限らない。但し、上述したように、給気面（給気口１３ａ）がサーバラック３の吸気面（後述する吸気口３ａ）と対向するように、室内ユニット１０ａを設けることが必要となる。【００６４】
上記第２の送風機（ファン）１１ａによって、サーバ室の室内空気（内気）が室内ユニット１０ａ内を通過する空気の流れが形成される。すなわち、サーバラック３からの排気（リターン空気）が、上記還気口１４ａから室内ユニット１０ａ内に流入し、上記第２の熱交換器１２ａを通過することで冷気となって上記給気口１３ａから送出される、という内気の流れが形成される。【００６５】
ここで、上記第１の熱交換器１２ｂと第２の熱交換器１２ａは、不図示の配管に接続しており、配管を介して上記液体（ここでは冷水を例にするものとする）が第１、第２の熱交換器１２ｂ，１２ａを循環している。これより、上記の通り第１の熱交換器１２ｂにおいては冷水と外気との間で熱交換が行われることになる。同様に、第２の熱交換器１２ａにおいては冷水とリターン空気との間で熱交換が行われることになる。これは、冷水を介して間接的に、外気とリターン空気との熱交換が行われることを意味し、基本的には外気によってリターン空気を冷却して冷気とするものである。【００６６】
上述したように、基本的には第１の熱交換器１２ｂにおいて外気によって冷水が冷却されて、当該冷却された冷水が第２の熱交換器１２ａに供給されることになる。これより、基本的には第２の熱交換器１２ａにおいて冷水によってリターン空気が冷却されて冷気が生成されることになる。生成された冷気は、上記給気口１３ａから送出されることになる。【００６７】
ここで、図１（ａ）に示すように、室内ユニット１０ａは、サーバラック３近傍に設けられると共に、上記給気面（給気口１３ａがある面）がサーバラック３の吸気面（吸気口３ａがある面）に対向する形で配置される。また、サーバラック３の後側の上面（天面）には排気口３ｂが設けられている。但し、この例に限らず、排気口３ｂはサーバラック３の背面に設けられていても良い。尚、ここでは上記給気面を正面と見做すものとし、その反対側の面（裏側の面）が上記背面となる。【００６８】
サーバラック３内には例えば不図示のファンが設けられており、このファンによって吸気口３ａから空気（冷気）が吸い込まれて、この空気がサーバラック３内に搭載されている各サーバ装置４を通過後、上記排気口３ｂから排出される。冷気は、発熱体であるサーバ装置４を通過することで当該サーバ装置４を冷却すると共に、温度上昇して暖気となって排気口３ｂから排出される。【００６９】
ここで、例えば、全体構成を図２（ａ）、（ｂ）に示す構成とすることで、隔壁１に沿う形で隔壁１近傍にサーバラック３の列を形成できる。側面は２面あるので隔壁１も２面あることになり、各隔壁１毎にその隔壁１に沿ってサーバラック列を形成することで、上記の通りサーバラック列の列数は２列となっている。また、空気調和装置１０は上記の通り隔壁１を挟むような形で設置されるので、空調装置列も各隔壁１毎にその隔壁１に沿って形成される。よって、上記の例では空調装置列の列数も２列となる。そして、各隔壁１毎に、既に述べたようにサーバラック列と空調装置列とは略平行となる。【００７０】
そして、例えば図１に示す例のように、１つのサーバラック３に対してその近傍に１台の空気調和装置１０を設置できるものである。そして、既に述べた通り、空気調和装置１０の冷気給気面が、サーバラック３の冷気吸気面と対向するように設置できるものである。【００７１】
上記構成により、各サーバラック３とそれに対応する空気調和装置１０との距離が、従来に比べて非常に短くなると共に、冷気を供給し易くなる。すなわち、室内ユニット１０ａの上記給気口１３ａから送出された冷気は、ダクトや床下空間等を介することなく、対向するサーバラック３の吸気面の吸気口３ａにほぼダイレクトに流入するので、低圧力損失で効率（給気効率など）が高いものとなる。【００７２】
また、各サーバラック３とそれに対応する空気調和装置１０との距離が、従来に比べて非常に短くなるので、リターン空気の回収に関しても、低圧力損失で効率が高いものとなる。すなわち、サーバラック３から排気されるリターン空気は、ダクトや天井裏空間等を介することなく、ほぼダイレクトに空気調和装置１０の還気口１４ａへ流入させることができる。【００７３】
また、外気の吸気・排気に関しても、各空気調和装置１０はどれもその室外ユニット１０ｂは外壁２の近傍に設置されることになり、外気空間（外壁２の外側）に近い場所に設置されることになる。よって、外気の吸気・排気の為のダクトは、必要ないか、あっても非常に短くて済む。よって、外気の吸気・排気に関しても低圧力損失で効率が高いものとなる。【００７４】
上述したように、外気、冷気、リターン空気の何れも、それら空気が流れる距離は従来に比べて非常に短くて済み、ほぼダクトレスを実現でき、低圧力損失で効率が高いものと言える構成となっている。このように空調装置がユニット化され、設置に関してほぼダクトレスとすることで、設置スペースが小さくて済み、設置費用が安く済み、設置の柔軟性も高いものとなる。【００７５】
設置の柔軟性に関しては、例えば、図２に示す倉庫タイプのモジュール型データセンターにおいて、サーバラック３を最初から最大限に設置するとは限らず、空きスペースが存在する場合が多い。この様な空きスペースに対しては空気調和装置１０は設置しないようにする。そして、後にサーバラック３が増設される毎に、新たに設置されたサーバラック３に対応する新たな空気調和装置１０を増設する。その際の増設工事は、ユニット構成且つダクトレスであることで、作業が容易となり、作業負担／コストが低減できる。【００７６】
尚、上記「空気調和装置１０（室内ユニット１０ａ）をサーバラック３近傍に設ける」ことに関して、“近傍”の具体的な数値は示さないものとする。つまり、室内ユニット１０ａ−サーバラック３間の距離は、特に規定するものではない。何れにしても、図１等に示す通り、空調装置等の冷気送出口（給気口１３ａ）とサーバラック（その吸気面）との距離は、図５等に示す従来例と比べると非常に短いものとなる。【００７７】
ここで、上記のようにサーバラック３内にその吸気口３ａから流入した冷気は、各サーバ装置４を通過することでサーバ装置４を冷却し、それによって温度上昇して暖気となって上記排気口３ｂから排出される。この暖気は上記のように室内ユニット１０ａの還気口１４ａに吸い込まれるが、その一部が室内ユニット１０ａ−サーバラック３の間の空間（給気口１３ａから冷気が給気されている空間；コールド空間というものとする）に流入して、冷気と混ざることで冷気の温度を上昇させる可能性がある。【００７８】
このような事態を防止する為に、本例では図１（ａ）、（ｂ）に示すように、室内ユニット１０ａ−サーバラック３間に（上部に）仕切り板７を設けている。仕切り板７は、図示の例では、その一端が室内ユニット１０ａの上部に接続し、その他端がサーバラック３の上面（天面）に接続する形で設置されている。これによって、サーバラック３の排気口３ｂから排出されたリターン空気は、仕切り板７の上方を通過して、室内ユニット１０ａの還気口１４ａに流入することになる。リターン空気は、上記コールド空間の上方を通過する際、仕切り板７がある為にその下方に（コールド空間に）流入することはない（流入したとしても少量である）。この様に、仕切り板７を設けたことで、暖気が冷気と混合するような事態を防止できる（混ざったとしても少量で済む）。【００７９】
上記のように、仕切り板７を設けたことで、冷気と暖気とを分離して、両者が混合しないようにできる。尚、室内ユニット１０ａはサーバラック３近傍に設けているので、仕切り板７の長さも短くて済み、低コストで済むと共に設置しやすいものとなる。【００８０】
尚、上記構成は一例であり、この構成に限るものではない。例えば、上記一例では空気調和装置１０は、サーバラック３毎に対応して設けるものとした。つまり、サーバラック３がＭ台ある場合、空気調和装置１０もＭ台とした（Ｍ：任意の整数）。しかし、この例に限らず、例えば、サーバラック３がＭ台ある場合、空気調和装置１０はＭ／２台、Ｍ／３台等としてもよい。換言すれば、２台のサーバラック３毎に１台の空気調和装置１０を設ける、あるいは３台のサーバラック３毎に１台の空気調和装置１０を設ける、等としてもよい。【００８１】
そして、上記サーバラック１台当たり１台の空気調和装置１０を設ける構成は、例えば、空気調和装置１０の横幅がサーバラック３の横幅と略同一である構成とすることが望ましい。同様に、上記２台のサーバラック３毎に１台の空気調和装置１０を設ける、あるいは３台のサーバラック３毎に１台の空気調和装置１０を設ける構成は、例えば、空気調和装置１０の横幅がサーバラック３の横幅の整数倍（２倍、３倍）である構成とすることが望ましい。つまり、効率良く冷風を供給することや冷風供給の偏りを少なくする等の観点から、空気調和装置１０の横幅が、当該空気調和装置１０が対応する（冷却する）１台以上のサーバラック３全体の横幅と、ほぼ同じとなるように構成することが望ましい。【００８２】
ここで、図３に、上記空気調和装置のより詳細な構成例を示す。これは、間接外気冷房機としての空気調和装置のより詳細な構成例を示す。【００８３】
図示の間接外気冷房機２０は、室内ユニット３０と室外ユニット４０とから成る。上記の通り、図１・図２の空気調和装置１０は、一例としては室内ユニット１０ａと室外ユニット１０ｂとから成るものであり、これら室内ユニット１０ａ、室外ユニット１０ｂに相当する構成例が、図３の室内ユニット３０と室外ユニット４０である。更に、本説明では基本的に、上記「隔壁１または筐体内仕切り」に関しては、“筐体内仕切り”ではない(よって、隔壁１である；換言すれば、一体型ユニットではない)例を用いるものとする。従って、図３に示すように、室内ユニット３０は隔壁１の室内側の壁面、室外ユニット４０は隔壁１の室外側の壁面に、それぞれ密着するようにして設置される。【００８４】
室内ユニット３０は、例えば、図示の液−ガス熱交換器３１、送風機（ファン）３２、配管２１（その一部；半分程度）、循環ポンプ２２を有する。【００８５】
室外ユニット４０は、例えば、図示の液−ガス熱交換器４１、送風機（ファン）４２、配管２１（その一部；半分程度）を有する。【００８６】
液−ガス熱交換器３１と液−ガス熱交換器４１とには配管２１が接続されており、配管２１上には循環ポンプ２２が設けられている。配管２１を介して液−ガス熱交換器３１と液−ガス熱交換器４１とに液体（例えば水；冷水）が循環している。この液体循環の動力源が、循環ポンプ２２である。よって、液体の循環を止めたい場合には、循環ポンプ２２を停止すればよい。【００８７】
また、液−ガス熱交換器３１には内気（リターン空気；暖気）が通過し、液−ガス熱交換器４１には外気が通過する。これより、液−ガス熱交換器３１においては内気と冷水との熱交換が行われ、液−ガス熱交換器４１においては外気と冷水との熱交換が行われる。基本的には、冷水によって内気（暖気）が冷却されて冷気が生成され、これによって温度上昇した冷水は外気によって冷却される。【００８８】
室内ユニット３０は、工場等での製造時に、例えば１面がオープンとなった箱型の筐体の中に、図示の液−ガス熱交換器３１、送風機（ファン）３２等が設けられる。また室内ユニット３０の筐体には図示の孔（内気流入口３３、内気排出口３４）が空けられている。【００８９】
上記液−ガス熱交換器３１、送風機（ファン）３２、内気流入口３３、内気排出口３４が、それぞれ、図１（ａ）の上記第２の熱交換器１２ａ、第２の送風機（ファン）１１ａ、還気口１４ａ、給気口１３ａに相当する構成となる。【００９０】
室外ユニット４０も同様に、工場等での製造時に、例えば１面がオープンとなった箱型の筐体の中に、図示の液−ガス熱交換器４１、送風機（ファン）４２等が設けられる。また室外ユニット４０の筐体には図示の孔（外気流入口４３、外気排出口４４）が空けられている。【００９１】
上記送風機（ファン）４２、液−ガス熱交換器４１、外気流入口４３、外気排出口４４が、それぞれ、図１（ａ）の第１の送風機（ファン）１１ｂ、第１の熱交換器１２ｂ、外気吸気口１３ｂ、外気排気口１４ｂに相当する構成となる。【００９２】
尚、室内ユニット３０、室外ユニット４０は、何れも、上記オープンとなっている面を、隔壁１の壁面に合わせるようにして設置される。【００９３】
そして、設置時には隔壁１に上記配管２１を通す為の貫通孔を２箇所開ける必要がある（勿論、予め壁面１の各所に貫通孔を空けておいてもよいが、間接外気冷房機２０を設置していない箇所では何らかの方法で貫通孔を塞いでおく必要がある）。また、工場での製造時に既に室内ユニット３０と室外ユニット４０それぞれに配管２１（その一部；半分程度）を設けた場合には、この配管２１同士を溶接する等して（その際、循環ポンプ２２も接続する）、図示の“途中に循環ポンプ２２が設けられた配管２１”を形成するようにしてもよい。【００９４】
上記のようにして室内ユニット３０、室外ユニット４０を設置することで、上記間接外気冷房機２０が構成されることになる。【００９５】
上記間接外気冷房機２０では、外気と内気（室内空気）とが相互に遮断されて熱交換が行われるので、外気に含まれる外気湿度や塵埃、腐食性ガスをサーバ室内に取り入れないため、サーバ等の電子機器の信頼性が維持される。【００９６】
尚、図３において室内ユニット３０−室外ユニット４０間に「隔壁１または筐体内仕切り」と記しているのは、図１（ａ）において「隔壁１または筐体内仕切り」と記してあるのと同じ理由である。すなわち、間接外気冷房機２０は、室内ユニット３０と室外ユニット４０とが一体となった一体型の構成であってよい。この場合、内部で室内ユニット３０部分と室外ユニット４０部分とを区切る為の仕切りが設けられている。そして、この仕切りに、上記配管２１を貫通させている（循環ポンプ２２も既に設けてある）。この様な構成の間接外気冷房機２０が、予め工場等で製造されている。【００９７】
そして、仮に室内ユニット３０の筐体の横幅をｗ１、高さをｈ１、奥行きをｄ１とした場合、ｗ１×ｈ１の大きさの孔が、予め隔壁１の各所に設けられている（但し、未設置時には板等で塞いである）。そして、間接外気冷房機２０の設置の際には、間接外気冷房機２０の室内ユニット３０部分を、上記の孔に例えば室外側等から挿入して図３に示す状態とすることで、間接外気冷房機２０の設置を行うことができる。従って、この場合には、上記配管２１に貫通孔を隔壁１に空ける必要も無ければ、配管２１をこの貫通孔に通す作業も必要ないことになり、設置作業がより容易に行えるようになる。【００９８】
次に、以下、変形例について説明する。【００９９】
変形例は、全体図や斜視図は、上記図２（ａ），（ｂ）や図１（ｂ）と略同様であってよいので、省略するものとする。但し、変形例では外気がサーバ室内に流入するので隔壁１は無くてもよい。【０１００】
図４には、変形例の空気調和装置５０の断面図を示す。【０１０１】
尚、図４において、上記図１（ａ）に示す空気調和装置１０の断面図における構成要素と略同一の構成要素には、同一符号を付してあり、その説明は簡略化または省略する。【０１０２】
変形例の空気調和装置５０は、直接外気冷房機であり、外気がサーバ室内に流入する。そして、流入した外気によってサーバ装置４を冷却する。【０１０３】
図４において、まず、サーバラック３（発熱体であるサーバ装置４も含む；尚、サーバ装置４を発熱体４と記す場合もある）の配置や構成は、図１（ａ）と略同様であり、同一符号を付してあり、その説明は省略する。また、外壁２に関しても、図１（ａ）と略同様であり、同一符号を付してあり、その説明は省略する。【０１０４】
上記の通り、変形例では隔壁１は無くてもよく、図４においては隔壁１が無い構成例を示している。そして、図４に示す例では空気調和装置５０は、外壁２とサーバラック３との間の空間における任意の位置（例えば図示の位置）に設置されている。但し、“任意の位置”と言っても、全体構成が図２の例（但し、図２の構成から隔壁１を削除する）である場合には、外壁２とサーバラック３との間の空間は、少なくとも広いものとはならない（基本的に、狭くなる）。【０１０５】
従って、基本的に、空気調和装置５０とサーバラック３との距離、空気調和装置５０と外壁２との距離は、何れも短いものとなる。これは、換言すれば、空気調和装置５０も上記空気調和装置１０と略同様に、サーバラック３近傍に設置されると共に外壁２の近傍（外気空間近く）に設置されるものと言える。更に、上記空気調和装置１０と略同様に、空気調和装置５０の給気面（給気口５７）が、サーバラック３の上記吸気面（吸気口３ａ）と対向するような形で、空気調和装置５０が設置されることが望ましい。【０１０６】
上記構成により、本変形例においても、空気調和装置５０に係る外気の吸気と排出、及び外気（冷気）のサーバラック３への給気は、何れも近距離で済み、図４に示すようにほぼダクトレスの構成を実現できる。【０１０７】
ここで、空気調和装置５０は、その筐体の前面下部（給気面）に図示のように給気口５７が空けられており、その筐体の前面上部に図示のように還気口５８が空けられている。更に、その筐体の背面下部に図示のように外気吸気口５５が空けられており、その筐体の背面上部には図示の外気排気ダクト５６が設けられている。【０１０８】
そして、特に外気吸気口５５は、外壁２の外気吸気孔２ａに対向する位置に設けられている。更に、上記給気口５７も外気吸気口５５に対応する位置（外気を図示の一点鎖線矢印で示すようにほぼ直線的に吸気・給気させる位置）に空けられている。【０１０９】
尚、ここでは説明の便宜上、空気調和装置５０の筐体においてサーバラック３側の面を前面、外壁２側の面を背面と言うものとする。【０１１０】
また、空気調和装置５０は、送風機５１、加湿器５２、送風機５３、ダンパ５４を有している。空気調和装置５０は、上部と下部とに分かれており、上部と下部との境にダンパ５４が設けられている。ダンパ５４が開いているときには、上部と下部との間で空気が流入／流出することになる。上記送風機５１と加湿器５２は下部に設けられ、上記送風機５３は上部に設けられている。【０１１１】
送風機５１は、外気吸気孔２ａと外気吸気口５５を介して外気を空気調和装置５０の筐体内に吸気すると共に、当該吸気した外気を給気口５７から排出することで対向するサーバラック３の吸気口３ａへと給気する、という空気の流れを形成するファンである。この外気の流れは、上記の通り（図示の一点鎖線矢印で示すように）ほぼ直線状となっており、効率よく吸気・給気が行える。【０１１２】
また、空気調和装置５０の筐体内において、上記外気の流れの何処かに（図示の例では給気口５７の手前）上記加湿器５２が設けられている。これより、上記吸気された外気は、加湿器５２で加湿されてから給気口５７から排出される。但し、この例に限らず、加湿器５２の代わりに除湿器を設けるようにしてもよいし、除加湿器を設けるようにしてもよい（どれを用いるのかは、特に外気の湿度等の外気条件に応じて任意に決められると考えてよい）。【０１１３】
給気口５７から排出された外気は、空気調和装置５０とサーバラック３との間の狭い空間（コールド空間）を通過して、サーバラック３の吸気口３ａからサーバラック３に流入して、搭載されているサーバ装置４を通過する。これによって、サーバ装置４が外気によって冷却されると共に、外気は温度上昇して暖気となって排気口３ｂから排出される。【０１１４】
ここで、上記送風機５３は、排気口３ｂから排出されるリターン空気を、還気口５８から空気調和装置５０の上部に流入させると共に、そのまま上記外気排気ダクト５６を介して建物外へと排気する為のファンである。【０１１５】
また、図１と同様に、暖気と外気とを分離して外気と暖気とが混ざらないようにする為の仕切り板７’が、空気調和装置５０とサーバラック３との間に設けられている。これは、換言すれば、仕切り板７’は、上記コールド空間の上方に設置されているものと言える。仕切り板７’によって、リターン空気がコールド空間に流入する事態を防止できる。すなわち、リターン空気がコールド空間に流入することで、外気（冷気）に暖気が混ざって温度上昇し冷却効率が低下する等という事態を、仕切り板７’を設けたことによって防止できる。【０１１６】
図示の仕切り板７’は、その一端がサーバラック３の上面（天面）に接続し、その他端が空気調和装置５０の上部と下部との境目に接続している。但し、この例に限らない。【０１１７】
上述したように、上記２つの送風機５１、５３によって、建物外の外気をサーバラック３内のサーバ装置４に供給して当該サーバ装置４を冷却させると共に、サーバラック３からのリターン空気を建物外へと排出する。【０１１８】
尚、空気調和装置５０の筐体内において、ダンパ５４を開くことで、還気口５８から空気調和装置５０の上部に流入させたリターン空気の一部を、空気調和装置５０の下部に流入させて吸気した外気と混合させることもできる。これによって例えば外気の温度が非常に低い場合等に、リターン空気を外気に混合させることで、サーバ装置４に供給する外気の温度を上げてやり、温度変動しやすい外気を用いても一定温度の給気を供給することができる。【０１１９】
図４に示すように、変形例の構成も、図１等に示した実施例の場合と略同様に、各サーバラック３毎にその近傍に空気調和装置５０を配置すると共に、サーバラック３の吸気面（発熱体の吸気面）と空気調和装置５０の給気面とを対向させて配置する。【０１２０】
これによって、ほぼダクトレスと言ってよい構成となる。すなわち、外気給気に関してはダクトレスとなっている。排気に関しては外気排気ダクト５６があるが、従来のダクトに比べれば非常に短くて済む。更に、空気調和装置５０から外気を短距離でダイレクトにサーバラック３（搭載されている発熱体４）に供給することができる。この様に、本手法では、長いダクトの為に圧力損失等により効率（吸気、排気、給気の効率）が低下するようなことはなく、効率よく外気を利用した冷房（特に発熱体４の冷却）を行えるようになる。【０１２１】
尚、更に他の変形例として、例えば、上記空気調和装置１０，５０や間接外気冷房機２０において、上記外気を利用して熱交換によってリターン空気の冷却を行う構成（外気利用冷却装置と呼ぶ）に加えて、更に、例えば蒸気圧縮式冷凍サイクル等の一般的な冷凍サイクルによる空調装置の構成を設けるようにしてもよい。【０１２２】
上記外気利用冷却装置の冷却能力は、外気の温度等によって左右されるので、サーバ室内を設定温度にすることができない（冷却能力不足となる）場合も有り得る。その為、従来でも上記図５に示す例のように一般的な冷凍サイクルによる空調装置も設けている。この場合、外気利用によってリターン空気を設定温度まで下げることができない状況（外気温度が高い等）であっても、ある程度は温度低下させてから一般的な空調装置に流入させるので、一般的な空調装置の冷却負荷を軽減でき、以って省エネ効果が得られることになる。【０１２３】
当該他の変形例では、この様な一般的な空調装置の構成を、上記空気調和装置１０，５０や間接外気冷房機２０の筐体内に設けるようにする。【０１２４】
このような他の変形例の構成例は特に図示しないが、よく知られているように、例えば蒸気圧縮式冷凍サイクルによる空調装置は、蒸発器、圧縮機、凝縮器、膨張弁等の構成要素を有し、冷媒管を介してこれらの構成要素に冷媒を循環させる構成となっている。これらの構成要素や冷媒管を、上記空気調和装置１０，５０や間接外気冷房機２０の筐体内に設けるようにすればよい。【０１２５】
ここで、上記空気調和装置１０や間接外気冷房機２０は、室内ユニットと室外ユニットとから成るが、蒸発器は室内ユニット内に設け、凝縮器は室外ユニット内に設けることになる。圧縮機と膨張弁は、室内ユニット、室外ユニットのどちらに設けても良い。【０１２６】
そして、蒸発器は、熱交換器（例えば第２の熱交換器１２ａ）の下流側に設けることが望ましい。ここで上流側／下流側とは、空気の流れに係る上流側／下流側を意味し、蒸発器は室内ユニット内にあるので、室内ユニット内を通過する空気（内気；リターン空気や冷却後の空気等）の流れに係る上流側／下流側を意味する。【０１２７】
上記のように蒸発器を熱交換器の下流側に設けることで、リターン空気を、まず熱交換器で冷却した後、蒸発器で設定温度となるように冷却させることができる。【０１２８】
また、凝縮器は、室外ユニット内において熱交換器（例えば第１の熱交換器１２ｂ）の下流側（外気の流れにおける下流側）に設けることが、一例として考えられるが、この例に限らない。【０１２９】
尚、図２に示す例では、略直方体形状の建物の長手方向の外壁２（それに略平行な隔壁１）に対して略平行にラック列が設けられるものとし、それ故にラック列は２列としたが、この例に限らない。例えば、更に、略直方体形状の建物の短手方向の外壁２（それに略平行な隔壁１）に対しても略平行にラック列が設けられるものとすることで、更に２列のラック列が構成され、合計で４列のラック列が形成されるようにしてもよい。【０１３０】
何れにしても、本例の空気調和装置は、外気を利用するものであり、外気の吸気と排気が必要になるものであるから、これをほぼダクトレスで実現する為には、外気環境近く（外壁２の近く）に設置できることが必要となる。更に、発熱体への冷気の給気とリターン空気の回収（還気）を効率よく行えるようにする（ダクトレスで実現する）為に、発熱体搭載ラック近くに設置できることが必要となる。図２の構成は、この様な空気調和装置の設置を実現できる典型的な例であるが、この例に限るものではない。【０１３１】
上述した本例の外気利用空調システムによれば、下記の効果が得られる。
・外気開口部（外気吸気孔２ａ）と空調装置１０の外気導入面（外気吸気口１３ｂ）とが対向配置の為（更に近い為）、または／及び、空調装置１０の冷気給気面（給気口１３ａ）とサーバラック３（発熱体４）の冷気吸気面（吸気口３ａ）とが対向配置の為（更に近いため）、低圧力損失で効率が高いものとなり、またほぼダクトレスとなり設置スペース効率が高く、設置等のための床下フリーアクセスが不要となる。
・空調装置１０の横幅が、サーバラック３（発熱体４）の横幅と略同一または整数倍であるので、各サーバラック３（発熱体４）毎に対応する空調装置１０を設け易くなり、サーバラック３（発熱体４）の増設に応じた空調装置１０の増設も容易に行える。
・仕切り板７等が暖気と冷気とを分離する為、システム天井が不要となる。
・ダクト工事が不要の為（少なくとも従来のような長いダクトの工事は不要となる）、設置作業が容易となると共に設置コストが低減でき、また柔軟な設置が行える。
・空調装置１０は、ユニット化されておりユニット毎に独立した冷房装置の為、冷熱のインフラが不要となり、設置が容易となる。【０１３２】
本発明の外気利用空調システム、その空調装置等によれば、外気を利用して室内冷却する空調システムに係わり、空調装置がユニット化され、ほぼダクトレスとすることができ、設置の手間が軽減でき設置費用が安く、設置の柔軟性も高いものとなる。
【図１】
2012124723.tif 000003
【図２】
2012124723.tif 000004
【図３】
2012124723.tif 000005
【図４】
2012124723.tif 000006
【図５】
2012124723.tif 000007
【手続補正書】
【提出日】平成25年7月1日(2013.7.1)
【手続補正１】
【補正対象書類名】明細書
【補正対象項目名】００１５
【補正方法】変更
【補正の内容】
【００１５】
また、壁２００の任意の２箇所に孔を空けて（一方を外気流入孔２２６、他方を外気排出孔２２７と言うものとする）、上記外気ダクト２２５の一端を外気流入孔２２６に接続し、他端を外気排出孔２２７に接続している。また、外気ダクト２２５は途中で熱交換器２２１に接続している。送風機２２３によって外気ダクト２２５内に外気を通過させる。すなわち、外気を外気流入孔２２６から流入させると共に外気排出孔２２７から排出させるが、外気は途中で熱交換器２２１内を通過することになる。つまり、熱交換器２２１内を内気（暖気）と外気が通過することになり、熱交換器２２１内において内気（暖気）と外気との熱交換が行われることになる。
【手続補正２】
【補正対象書類名】明細書
【補正対象項目名】００６４
【補正方法】変更
【補正の内容】
【００６４】
上記第２の送風機（ファン）１１ａによって、サーバ室の室内空気（内気）が室内ユニット１０ａ内を通過する空気の流れが形成される。すなわち、サーバラック３からの還気（リターン空気）が、上記還気口１４ａから室内ユニット１０ａ内に流入し、上記第２の熱交換器１２ａを通過することで冷気となって上記給気口１３ａから送出される、という内気の流れが形成される。
【手続補正３】
【補正対象書類名】明細書
【補正対象項目名】００７２
【補正方法】変更
【補正の内容】
【００７２】
また、各サーバラック３とそれに対応する空気調和装置１０との距離が、従来に比べて非常に短くなるので、リターン空気の回収に関しても、低圧力損失で効率が高いものとなる。すなわち、サーバラック３から排出されるリターン空気は、ダクトや天井裏空間等を介することなく、ほぼダイレクトに空気調和装置１０の還気口１４ａへ流入させることができる。
【手続補正４】
【補正対象書類名】明細書
【補正対象項目名】００９３
【補正方法】変更
【補正の内容】
【００９３】
そして、設置時には隔壁１に上記配管２１を通す為の貫通孔を２箇所開ける必要がある（勿論、予め隔壁１の各所に貫通孔を空けておいてもよいが、間接外気冷房機２０を設置していない箇所では何らかの方法で貫通孔を塞いでおく必要がある）。また、工場での製造時に既に室内ユニット３０と室外ユニット４０それぞれに配管２１（その一部；半分程度）を設けた場合には、この配管２１同士を溶接する等して（その際、循環ポンプ２２も接続する）、図示の“途中に循環ポンプ２２が設けられた配管２１”を形成するようにしてもよい。
【手続補正５】
【補正対象書類名】図面
【補正対象項目名】図１
【補正方法】変更
【補正の内容】
【図１】
2012124723.tif 000008
【手続補正６】
【補正対象書類名】図面
【補正対象項目名】図４
【補正方法】変更
【補正の内容】
【図４】
2012124723.tif 000009
【手続補正７】
【補正対象書類名】図面
【補正対象項目名】図５
【補正方法】変更
【補正の内容】
【図５】
2012124723.tif 000010
【国際調査報告】
2012124723.tif 000011
2012124723.tif 000012
2012124723.tif 000013
2012124723.tif 000014